(57)【要約】【課題】レバーによるコネクタ同士の嵌合機能を充実させる。【解決手段】パネルＰに取り付けられるコネクタの雌側ハウジング２０には、内外に撓み可能なロック片２３Ｈが設けられるとともにロック片２３Ｈの弾性変位を許容する退避空間Ｒが設けられている。雌側ハウジング２０には、退避空間Ｒ内へ進入することでロック片２３Ｈの撓みを規制可能な解除規制部材３０が嵌着されている。解除規制部材３０は、レバー２４が嵌合途中にあるときには仮係止位置にてロック片２３Ｈの撓みを許容する一方、レバー２４が嵌合位置にあるときには本係止位置にてロック片２３Ｈの撓みを規制する。【選択図】  図６
2004335326.tif 000002
【特許請求の範囲】
【請求項１】
雌側端子金具が収容された雌型コネクタハウジングと、雄側端子金具が収容された雄型コネクタハウジングとからなり、これら雌雄の両コネクタハウジングのうちいずれか一方のコネクタハウジングには、一対の脚部が回動操作部によって連結されることで全体として門型形状をなすレバーが装着されており、このレバーの回動動作に基づくカム機構によって前記雌雄の両コネクタハウジングが互いに引き寄せられて正規の嵌合状態となるコネクタであって、
前記一方のコネクタハウジングには、前記レバーの回動動作を阻止する撓み可能なロック片が設けられるとともに、このロック片の弾性変位を許容する退避空間が設けられており、且つ、
前記一方のコネクタハウジングには、前記退避空間へ進入することで前記ロック片の撓みを規制する解除規制部材が嵌着されていることを特徴とするコネクタ。
【請求項２】
前記解除規制部材は、前記ロック片の前記退避空間内への撓みを許容しつつ前記一方のコネクタハウジングに対して仮係止される仮係止位置と、前記ロック片の前記退避空間への撓みを規制しつつ前記一方のコネクタハウジングに対して本係止される本係止位置との間を移動可能に設定されていることを特徴とする請求項１記載のコネクタ。
【請求項３】
前記一方のコネクタハウジングには、前記ロック片に対し前記退避空間を保有しつつ取り囲む退避空間形成部が設けられ、
前記退避空間形成部の内側面には、前記解除規制部材の進入方向に沿って第１の係止凸部と第２の係止凸部とが配設されており、
前記解除規制部材には、撓み可能な係止部が設けられており、この係止部は、前記解除規制部材が前記仮係止位置にあるときに、前記第１の係止凸部と干渉することで前記解除規制部材が前記退避空間から抜け出るのを規制可能となっているとともに前記第２の係止凸部と干渉することで前記解除規制部材が前記本係止位置へ移動するのを規制可能となっている一方、前記第２の係止凸部との係止を解くことで前記解除規制部材が前記本係止位置へ移動するのを許容しており、且つ、
前記係止部は、前記解除規制部材が前記本係止位置にあるときに、前記第２の係止凸部と干渉することで前記解除規制部材が前記仮係止位置へ移動するのを規制可能となっていることを特徴とする請求項２記載のコネクタ。
【請求項４】
前記退避空間形成部の内側面には、前記解除規制部材の進入方向に沿って案内部が設けられており、前記解除規制部材は、前記退避空間への進入の際に、前記案内部と摺接しつつ移動可能な被案内部を備えていることを特徴とする請求項３に記載のコネクタ。
【請求項５】
前記退避空間形成部の内側面には第３の係止凸部が設けられており、
前記解除規制部材において前記係止部が設けられた面と異なる面には、撓み可能な係止片が設けられており、この係止片には、前記本係止位置にて前記第３の係止凸部と係止可能な係止受け部が設けられていることを特徴とする請求項３または４に記載のコネクタ。
【発明の詳細な説明】
【０００１】
【発明の属する技術分野】
本発明は、ワイヤーハーネス同士を接続するためのコネクタに関する。
【０００２】
【従来の技術】
この種のコネクタは、図７に示すように、パネル１に取り付けられる待受け側コネクタハウジング２と、この待受け側コネクタハウジング２に嵌合される組付け側コネクタハウジング３とから構成されている。待受け側コネクタハウジング２内には雄端子金具（図示せず）が収容される一方、組付け側コネクタハウジング３内には雌端子金具（図示せず）が収容されており、これら両コネクタハウジング２，３が嵌合されることで、互いの端子金具の導通接続を行っている。
【０００３】
ここで、組付け側コネクタハウジング３には、待受け側コネクタハウジング２との間でカム作用を発揮して両コネクタハウジング２，３を互いに引き寄せて正規嵌合状態となすレバー４が回動可能に取り付けられるとともに、両コネクタハウジング２，３を正規嵌合位置に留め置くためにレバー４の回動を阻止するロック片５が設けられている。このロック片５は、ハウジング側壁部において両側に切り溝（図示せず）を有して片持ち状に設けられており、その延出先端側にはレバー４をロック状態からロック解除状態に切り換え可能な解除操作部６が設けられている。ロック片５は、ハウジングに切り込まれた退避空間Ｇに退避可能な状態としてある。なお、こうしたコネクタの例としては、特許文献１記載のものが知られている。
【０００４】
【特許文献１】
特開２００１−２４４０１４公報
【０００５】
【発明が解決しようとする課題】
上記特許文献のものは、レバー４のロック及びその解除の切り換えを簡便に行うことができるものであったが、より有用なものが望まれていた。
本発明は、レバーによるコネクタ同士の嵌合機能をより充実させることを目的とする。
【０００６】
【課題を解決するための手段】
上記の目的を達成するための手段として、請求項１の発明は、雌側端子金具が収容された雌型コネクタハウジングと、雄側端子金具が収容された雄型コネクタハウジングとからなり、これら雌雄の両コネクタハウジングのうちいずれか一方のコネクタハウジングには、一対の脚部が回動操作部によって連結されることで全体として門型形状をなすレバーが装着されており、このレバーの回動動作に基づくカム機構によって前記雌雄の両コネクタハウジングが互いに引き寄せられて正規の嵌合状態となるコネクタであって、前記一方のコネクタハウジングには、前記レバーの回動動作を阻止する撓み可能なロック片が設けられるとともに、このロック片の弾性変位を許容する退避空間が設けられており、且つ、前記一方のコネクタハウジングには、前記退避空間へ進入することで前記ロック片の撓みを規制する解除規制部材が嵌着されている構成としたところに特徴を有する。
【０００７】
請求項２の発明は、請求項１に記載のものにおいて、前記解除規制部材は、前記ロック片の前記退避空間内への撓みを許容しつつ前記一方のコネクタハウジングに対して仮係止される仮係止位置と、前記ロック片の前記退避空間への撓みを規制しつつ前記一方のコネクタハウジングに対して本係止される本係止位置との間を移動可能に設定されているところに特徴を有する。
【０００８】
請求項３の発明は、請求項２に記載のものにおいて、前記一方のコネクタハウジングには、前記ロック片に対し前記退避空間を保有しつつ取り囲む退避空間形成部が設けられ、前記退避空間形成部の内側面には、前記解除規制部材の進入方向に沿って第１の係止凸部と第２の係止凸部とが配設されており、前記解除規制部材には、撓み可能な係止部が設けられており、この係止部は、前記解除規制部材が前記仮係止位置にあるときに、前記第１の係止凸部と干渉することで前記解除規制部材が前記退避空間から抜け出るのを規制可能となっているとともに前記第２の係止凸部と干渉することで前記解除規制部材が前記本係止位置へ移動するのを規制可能となっている一方、前記第２の係止凸部との係止を解くことで前記解除規制部材が前記本係止位置へ移動するのを許容しており、且つ、前記係止部は、前記解除規制部材が前記本係止位置にあるときに、前記第２の係止凸部と干渉することで前記解除規制部材が前記仮係止位置へ移動するのを規制可能となっているところに特徴を有する。
【０００９】
請求項４の発明は、請求項３に記載のものにおいて、前記退避空間形成部の内側面には、前記解除規制部材の進入方向に沿って案内部が設けられており、前記解除規制部材には、前記退避空間への進入の際に、前記案内部と摺接しつつ移動可能な被案内部を備えているところに特徴を有する。
【００１０】
請求項５の発明は、請求項３または４のいずれかに記載のものにおいて、前記退避空間形成部の内側面には第３の係止凸部が設けられており、前記解除規制部材において前記係止部が設けられた面と異なる面には、内外に撓み可能な係止片が設けられており、この係止片には、前記本係止位置にて前記第３の係止凸部と係止可能な係止受け部が設けられているところに特徴を有する。
【００１１】
【発明の作用及び効果】
＜請求項１の発明＞
一方のコネクタハウジングには、退避空間へ進入することでロック片の撓みを規制可能な解除規制部材が嵌着されているため、このコネクタハウジングに外力が作用しても、その外力によってロック片が撓むようなことがなく、レバーのロック状態が保持される。
【００１２】
＜請求項２の発明＞
解除規制部材が仮係止位置にて仮係止されることにより、解除規制部材とコネクタハウジングとを一体化させた状態でコネクタ同士の嵌合作業を行うことができ、作業性に優れる。
【００１３】
＜請求項３の発明＞
解除規制部材には内外に撓み可能な係止部が設けられ、この係止部と第１及び第２の各係止凸部との係合により、解除規制部材を仮係止位置または本係止位置のいずれかの位置に確実に留め置くことができる。
【００１４】
＜請求項４の発明＞
解除規制部材は、退避空間への進入の際に退避空間形成部の内側面に設けられた案内部と摺接しつつ移動可能な被案内部を備えているため、被案内部と案内部とが係合することで退避空間内をスムーズに移動できる。
【００１５】
＜請求項５の発明＞
解除規制部材には撓み可能な係止片が設けられており、この係止片には本係止位置にて第３の係止凸部と係止可能な係止受け部が形成されているため、本係止位置における解除規制部材は、係止部と第２の係止凸部とによる係止と、係止受け部と第３の係止凸部とによる係止とで二重の係止が作用するようになり、コネクタハウジングに強固にロックされるようになる。しかも、係止片は、解除規制部材において係止部が設けられた面と異なる面に設けられているため、このコネクタハウジングに外力が作用してもこの外力が夫々の面に係合する事態は想定し難く、レバーのロック状態が一層確実に保持されるようになる。
【００１６】
【発明の実施の形態】
以下、本発明の一実施の形態を図１乃至図６によって説明する。
本発明のコネクタは、図１に示すように、パネルＰに取り付けられる待受け側コネクタハウジングとしての雄型コネクタハウジング（以下、雄側ハウジング１０という）と、この雄側ハウジング１０に嵌合される組付け側コネクタハウジングとしての雌型コネクタハウジング（以下、雌側ハウジング２０）とを備える。なお、以下では、雌雄の両ハウジング１０，２０の嵌合面側を前側とする。
【００１７】
まず、雄側ハウジング１０について説明すると、この雄側ハウジング１０は、図１に示すように、パネルＰに開口して設けられた取付口ＰＡに対してパネル後面側より嵌め込まれ、パネル前面側の取付口ＰＡの開口縁に係止爪（図示せず）で係止されるものである。この雄側ハウジング１０は、内側に複数室のキャビティ（図示せず）を設けた本体部１１と、この本体部１１の前方に略角筒状に形成されたフード部１２とを備えている。本体部１１におけるキャビティ内には雄側端子金具（図示せず）が収容可能とされている。
一方、フード部１２は、本体部１１より一回り大きく形成されており、その内側には各キャビティに対応する複数の雄側端子金具の先端部分が突出した状態で配されている。また、フード部１２内には雌側ハウジング２０が嵌合され、フード部１２の内側面には雌側ハウジング２０の外面に取り付けられたレバー２４のカム溝Ｗに嵌められる一対のフォロアピン１３が突設されている。
【００１８】
続いて、雌側ハウジング２０について説明する。この雌側ハウジング２０は、図３に示すように、嵌合面を有するハウジング本体２１と、このハウジング本体２１に対して後面側から被せられるとともに嵌合面を除いた外側面の全体を覆うように装着されるグロメット２２と、このグロメット２２の外側に装着されるグロメットカバー２３と、このグロメットカバー２３の側面に取り付けられ、雄側ハウジング１０との間のカム作用によって両ハウジング１０，２０を互いに引き寄せるレバー２４とを備える。レバー２４が嵌合位置に達したときに、両ハウジング１０，２０は正規の嵌合状態となり、互いの端子金具の導通が取られるようになっている。
【００１９】
レバー２４は、一対の脚部２４Ａが回動操作部２４Ｂによって連結されることで全体が門型に形成されている。両脚部２４Ａには、雄側ハウジング１０に設けられたフォロワピン１３が進入可能なカム溝Ｗが設けられており、このカム溝Ｗの入り口は、レバー２４を回動させる前の状態では前方を向くようになっている。そして、このカム溝Ｗの入り口にフォロワピン１３を進入させた初期位置から回動操作部２４Ｂを摘んでレバー２４を回動操作することにより、フォロアピン１３がカム溝に沿って移動されるとともに、両ハウジング１０，２０の嵌合動作が進行されるようになっている。また、両脚部２４Ａのうちのいずれか一方には、図１に示すように、係合孔２４Ｃが設けられており、この係合孔２４Ｃに後述するロック片２３Ｈの係合凸部２３Ｊが嵌まり込むことで、レバー２４がロックされるようになっている。
一方、ハウジング本体２１内には、図３に示すように、雌側端子金具（図示せず）を収容可能なキャビティ２１Ａが複数室設けられている。グロメット２２のうちハウジング本体２１を取り囲む部分の後端面からはハウジング本体２１から引き出された電線を通すための電線導出部２２Ａが、図示下方へと延出されている。
【００２０】
グロメットカバー２３は、図３に示すように、全体として嵌合面側に開口する箱形状をなし、ハウジング本体２１との間でグロメット２２を挟持可能に形成されている。グロメットカバー２３の後面の下端側には電線導出部２２Ａを逃がす挿通口２３Ｆが設けられている。
グロメットカバー２３の後壁における上端位置には、前方へ向かってせり上がる態様の隆起部２７が立設されている。この隆起部２７の上面は、レバー２４が嵌合位置へ至る際、その回動操作部２４Ｂの内面の回動軌道に沿うような曲面とされている。なお、レバー２４の回動操作部２４Ｂの内面も隆起部２７の上面と対応する形態の曲面とされている。
【００２１】
また、グロメットカバー２３の両側壁のうちのいずれか一方には、一対の切り溝（図示せず）を設けることにより、これら切り溝間にて内外に撓み可能な片持ち状のロック片２３Ｈが設けられている。ロック片２３Ｈの外側面は、図４に示すように、レバー２４が嵌合位置にあるときにレバー２４の脚部２４Ａによって覆われており、このロック片２３Ｈの外側面には、脚部２４Ａの係合孔２４Ｃに内側から嵌まり込んでレバー２４を嵌合位置にてロックする係合凸部２３Ｊが設けられている。そして、ロック片２３Ｈの延出先端には、図４に示すように、レバー２４のロックを解除状態に切り換え操作するための解除操作部２３Ｋが設けられている。この解除操作部２３Ｋは、グロメットカバー２３の後壁面に露出した状態で配されており、グロメットカバー２３の後壁のうちで解除操作部２３Ｋと対応する部分には、切り溝２３Ｇと連続する退避空間Ｒが切り込みにより設けられている。そして、この解除操作部２３Ｋは、内側に撓むときにこの退避空間Ｒに退避するようになっている。
【００２２】
また、グロメットカバー２３の後壁には、ロック片２３Ｈに対して退避空間Ｒを保有しつつ取り囲む退避空間形成部４０が設けられている。具体的に退避空間形成部４０は、図３に示すように、グロメットカバー２３の後壁面から後方へ突き出る態様で前後方向に延設されている。退避空間形成部４０は、図２に示すように、ロック片２３Ｈと対向する位置に配される対向壁部４１と、ロック片２３Ｈの両側に配される両側壁部４２とから構成されている。両側壁部４２においてロック片２３Ｈ寄りの端部には、外側に膨らみつつ円弧をなす案内受け部４３が形成され、その内側面は、解除規制部材３０が退避空間Ｒ内へ進入する際に、後述する案内凸部３３（本発明の被案内部）と摺接しつつ係合可能な案内溝４４（本発明の案内部）となっている。
【００２３】
また、両側壁部４２の内側面には、図３に示すように、解除規制部材３０の進入方向に沿って第１の係止凸部４５と第２の係止凸部４６とが配設されている。図４に示すように、第１の係止凸部４５は、対向壁部４１寄りの位置に設けられる一方、第２の係止凸部４６は、ロック片２３Ｈ寄りの位置に設けられている。対向壁部４１の基端には、退避空間Ｒ内へ向かって突き出る第３の係止凸部４７が設けられている。第１の係止凸部４５は、解除規制部材３０が仮係止位置にあるときに解除規制部材３０が退避空間Ｒ内から抜け出ないようにしてあり、また、第２の係止凸部４６は、仮係止位置にある解除規制部材３０が本係止位置へ移動しないように規制し、且つ本係止位置にある解除規制部材３０が仮係止位置へ戻らないようにしてある。一方、第３の係止凸部４７は、仮係止位置にある解除規制部材３０が本係止位置へ移動しないように規制し、且つ本係止位置にある解除規制部材３０が仮係止位置へ戻らないようにしている。そして、第２および第３の各係止凸部４６，４７は、夫々、解除規制部材３０の進入方向に沿ったテーパ面を有しており、押し込み操作によって解除規制部材３０が撓み変形しつつ仮係止位置から本係止位置へ移動するのを許容している。
【００２４】
さて、解除規制部材３０について説明すると、この解除規制部材３０は、退避空間形成部４０における退避空間Ｒ内へ進入可能な形態としてあり、図６に示すように、解除規制部材３０が退避空間Ｒ内へ進入することでロック片２３Ｈの撓みを規制してレバー２４のロック状態を保持するようになっている。具体的に解除規制部材３０は、方形板状をなして内外に撓み可能な係止片３１と、この係止片３１の上端位置から前方へ突き出るとともに係止片３１の前方を覆うように配される撓み規制片３２と、方形板状をなして撓み規制片３２の両端位置の前面側に重なるとともに側縁部分が案内溝４４へ向かって突き出る案内凸部３３（図１参照）と、係止片３１の両端における下端位置から前方へ長く突き出るとともにスリット３４（図３参照）を介することで内外に撓み可能とされた係止部３５とを備える。
【００２５】
ここで、解除規制部材３０は、ロック片２３Ｈの退避空間Ｒ内への撓みを許容しつつグロメットカバー２３に対して仮係止される仮係止位置（図３及び図４参照）と、ロック片２３Ｈの退避空間Ｒ内への撓みを規制しつつグロメットカバー２３に対して本係止される本係止位置（図５及び図６参照）との間を移動可能に設定されている。そして、係止部３５は、図４に示すように、解除規制部材３０が仮係止位置にあるときに、その上辺が第１の係止凸部４５と干渉することで解除規制部材３０が退避空間Ｒから抜け出るのを規制しており、且つ、その下辺が第２の係止凸部４６と干渉することで解除規制部材３０が本係止位置へ移動するのを規制している。一方、係止部３５は、押し込み操作により撓み変形しつつ第２の係止凸部４６との係合を解除して解除規制部材３０が本係止位置へ移動するのを許容している。また、係止部３５は、図６に示すように、解除規制部材３０が本係止位置にあるときに、その上辺が第２の係止凸部４６と干渉することで解除規制部材３０が仮係止位置へ戻るのを規制している。
【００２６】
一方、撓み規制片３２は、図６に示すように、仮係止位置から本係止位置への移動の際に、解除操作部２３Ｋと第２の係止凸部４６との間の空間に上方から差し入れられることにより、その前面側がロック片２３Ｈの解除操作部２３Ｋとほぼ隙間なく接するとともにその後面側が第２の係止凸部４６とほぼ隙間なく接するようになっており、もってロック片２３Ｈの撓みを規制するようにしてある。そして、撓み規制片３２の内側面は、その高さ方向の中央位置にて段状となっており、ここを境とした上方側が係止片３１との間隔を狭くして係止片３１との間に幅狭部３６を形成する一方、下方側が係止片３１との間隔を広くして係止片３１との間に幅広部３７を形成している。解除規制部材３０が本係止位置にあるときに、幅狭部３６には第１の係止凸部４５が嵌入可能となる一方、幅広部３７には第２の係止凸部４６が嵌入可能となっており、解除規制部材３０が本係止位置より奥側へ移動しないようになっている。また、撓み規制片３２の前面に設けられた案内凸部３３は、仮係止位置から本係止位置への移動の際に、案内溝４４と摺接しつつ移動可能なように構成されている。
【００２７】
係止片３１の中央部には、矩形状の係止孔３８（本発明の係止受け部）が貫設されており、解除規制部材３０が本係止位置にあるときに第３の係止凸部４７と係止して解除規制部材３０を本係止位置にて留め置くようになっている。なお、係止片３１が設けられた面と係止部３５が設けられた面とは、ほぼ直交して配されているため、本係止位置における解除規制部材３０の係止状態を解除操作するには、係止片３１が設けられた面と係止部３５が設けられた面とに対して夫々略直交する方向から外力を作用させる必要がある。
【００２８】
本実施形態は以上のような構成であり、続いてその作用について説明する。まず、雄側ハウジング１０のキャビティ１４内に雄側端子金具を収容し、雌側ハウジング２０のキャビティ２１Ａ内に雌側端子金具を収容する。次いで雄側ハウジング１０をパネルＰに取り付ける。
そして、雌側ハウジング２０に解除規制部材３０を装着させて仮係止状態とする。仮係止位置における解除規制部材３０は、図４に示すように、係止部３５の上辺が第１の係止凸部４５と当接することで抜き方向への移動が規制された状態にあるとともに、係止部３５の下辺が第２の係止凸部４６に当接し、且つ、係止片３１の下端が第３の係止凸部４７に当接することで、本係止位置への移動が規制された状態にある。また、解除規制部材３０が仮係止位置にあるときには、ロック片２３Ｈの撓みが許容されるため、レバー２４も回動可能な状態にある。
【００２９】
次に、両ハウジング１０，２０を嵌合させる作業に移行する（嵌合過程については図示していない）。まず雄側ハウジング１０のフード部１２内に雌側ハウジング２０を緩く嵌合させ、フォロワピン１３をレバー２４のカム溝Ｗの入り口に臨ませ、その状態でレバー２４を嵌合位置へ向けて回動させる。レバー２４の回動過程においてロック片２３Ｈは退避空間Ｒ内に退避されている。フォロワピン１３がカム溝Ｗに沿って移動されると、この動作にともなって両ハウジング１０，２０の嵌合動作が進行される。レバー２４が嵌合位置に達すると、ロック片２３Ｈが弾性復帰してその係合凸部２３Ｊをレバー２４の係合孔２４Ｃへ嵌入させ、もってレバー２４が雌側ハウジング２０に対してロックされる。それと同時に、両ハウジング１０，２０内において互いの端子金具の導通が取られる。
【００３０】
次に、解除規制部材３０を仮係止位置から本係止位置へ移動させる。解除規制部材３０の仮係止状態を解除するには、押し込み操作により、係止部３５に、第２及び第３の各係止凸部４６，４７を弾性的に乗り越えさせるだけの押し込み力を付与する。この際、第２及び第３の各係止凸部４６，４７は、いずれも解除規制部材３０の進入方向に沿ったテーパ面を有しているため、格別に強い押し込み力を付与する必要はない。本係止位置における解除規制部材３０は、図６に示すように、係止孔３８に第３の係止凸部４７が嵌入されるとともに、幅狭部３６及び幅広部３７の夫々に第１及び第２の係止凸部４５，４６が嵌入し、且つ、その進入方向の前端がグロメット２２の後面に当て止めされる。これにより、解除規制部材３０は、本係止位置よりも奥側への移動が確実に阻止される。また、解除規制部材３０は、係止孔３８の孔壁に第３の係止凸部４７が干渉するとともに係止部３５に第２の係止凸部４６が干渉するため、本係止位置から仮係止位置への戻りも規制されるようになる。また、撓み規制片３２がロック片２３Ｈに当接することでロック片２３Ｈの撓みが規制される。
【００３１】
本実施形態によれば、解除規制部材３０が退避空間Ｒ内へ進入することでロック片２３Ｈの撓みが規制されるため、仮に雌側ハウジング２０に対して外力が作用してもこの外力によってロック片２３Ｈが撓むようなことがなく、ロック片２３Ｈによるレバー２４のロック状態が保持される。また、解除規制部材３０が仮係止位置にて仮係止されることにより、解除規制部材３０と雌側ハウジング２０とを一体化させた状態で雌雄の両コネクタの嵌合作業を行うことができ、作業性に優れる。
【００３２】
さらに、本係止位置における解除規制部材３０は、係止部３５と第２の係止凸部４６とによる係止と、係止孔３８と第３の係止凸部４７とによる係止とで二重の係止が働いているため、雌側ハウジング２０に対して強固にロックされるようになり、退避空間Ｒから不用心に抜き出ることがない。
【００３３】
さらにまた、係止片３１と係止部３５とは、互いに直交する面に設けられており、夫々の面に対して外力が同時に作用する事態は想定し難いから、レバー２４のロック状態が一層確実に保持される。
【００３４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３５】
（１）本発明では、解除規制部材が仮係止位置と本係止位置との間を移動可能なように構成されているが、仮係止位置を設けない態様であっても構わない。そうすると、解除規制部材の形態がより簡略化される。
（２）係止部と第２の係止凸部とによる係止または係止孔と第３の係止凸部とによる係止のいずれか一方のみにより、解除規制部材を本係止位置にて留め置く態様であっても構わない。
（３）係止片が設けられた面と解除規制部材が設けられた面とは、夫々、異なっていればよく、必ずしも互いに直交している必要はない。
（４）係止片の係止孔は、第３の係止凸部を受け入れ可能であればよく、貫通することなく内側面が閉止されていても構わない。
【００３６】
（５）上記実施形態では、雌側ハウジング側にレバー、ロック片、および解除規制部材が設けられていたが、本発明においては、雄側ハウジング側にレバー、ロック片、及び解除規制部材が設けられていても構わない。また、本発明は、待受け及び組付けに関係なく、ワイヤーハーネス同士を接続する通常のコネクタに適用しても構わない。
【図面の簡単な説明】
【図１】本発明の一実施形態に係るコネクタを示す側面図
【図２】雌側ハウジングの正面図
【図３】仮係止状態の解除規制部材を装着した雌側ハウジングの縦断面図
【図４】仮係止状態の解除規制部材を装着した雌側ハウジングの側断面図
【図５】本係止状態の解除規制部材を装着した雌側ハウジングの縦断面図
【図６】本係止状態の解除規制部材を装着した雌側ハウジングの側断面図
【図７】従来のコネクタの斜視図
【符号の説明】
Ｐ…パネル
Ｒ…退避空間
１０…雄側ハウジング
２０…雌側ハウジング
２３Ｈ…ロック片
２４…レバー
３０…解除規制部材
３１…係止片
３３…案内凸部（被案内部）
３８…係止孔（係止受け部）
４０…退避空間形成部
４４…案内溝（案内部）
４５…第１の係止凸部
４６…第２の係止凸部
４７…第３の係止凸部
【図１】
2004335326.tif 000003
【図２】
2004335326.tif 000004
【図３】
2004335326.tif 000005
【図４】
2004335326.tif 000006
【図５】
2004335326.tif 000007
【図６】
2004335326.tif 000008
【図７】
2004335326.tif 000009